(57)【要約】      （修正有）【課題】操作時のクリック感の有無を切り替え可能な回転操作部材にあって、部品点数を増すことが無く、操作部材が回転規制状態か否かを検知する検知手段を提供すること。【解決手段】筺体に回転可能に固定された回転操作部材と、前記回転操作部材の回転規制が有る規制状態と前記回転操作部材の回転規制が無い非規制状態の二つの状態を切り替えるクリック切替機構と、前記回転操作部材の回転方向、回転量を検出する回転検出手段とで構成され、前記回転検出手段から出力された出力信号から回転操作部材の回転操作速度を算出し、前記回転操作速度の変化量から前記回転操作部材が回転規制状態か否かを判定することを特徴とする。【選択図】図１１
2020101725.tif 000002
【特許請求の範囲】
【請求項１】
筺体に回転可能に固定された回転操作部材と、前記回転操作部材の回転規制が有る規制状態と前記回転操作部材の回転規制が無い非規制状態の二つの状態を切り替えるクリック切替機構と、前記回転操作部材の回転方向、回転量を検出する回転検出手段とで構成され、前記回転検出手段から出力された出力信号から回転操作部材の回転操作速度を算出し、前記回転操作速度の変化量から前記回転操作部材が回転規制状態か否かを判定することを特徴とする電子機器。
【請求項２】
筺体に回転可能に固定された回転操作部材と、前記回転操作部材の回転規制が有る規制状態と前記回転操作部材の回転規制が無い非規制状態の二つの状態を切り替えるクリック切替機構と、前記回転操作部材の回転方向、回転量を検出する回転検出手段と、周囲の音を集音可能なマイク部材で構成され、前記回転操作部材が回転操作されると前記マイク部材から集音された音を録音し、前記録音された音に前記回転規制が規制状態時に発生するクリック音が入力されていた時、前記回転規制部材が回転規制状態であることを判定することを特徴とする電子機器。
【発明の詳細な説明】
【技術分野】
【０００１】
本発明は、デジタルカメラ等の電子機器に関し、特に回転操作可能な操作部材を有する電子機器に関する。
【背景技術】
【０００２】
デジタルカメラ等の電子機器では、様々な機能が搭載されている。例えば、デジタルカメラでは、撮影レンズのフォーカス調整やズーム倍率の変更、絞り優先ないしシャッター速度優先の自動露光モードなどの撮影モードといった機能を有している。そして、それぞれの機能を選択したり、各機能に含まれる様々な設定値を変更したりするための操作部材を筺体に備えている。
【０００３】
携帯型電子機器の場合、大型化を防ぐために、複数の機能を１つの操作部材で変更可能にしたものがある。例えば、デジタルカメラでは、撮影レンズのフォーカス調整やズーム倍率のように連続的な値で設定される機能や、絞り値やシャッター速度のように離散的な値で設定される機能を１つの操作部材に割り当てると、２つ必要であった操作部材を１つに減らすことが可能となる。
【０００４】
そのような操作部材として、特許文献１のように機器本体前面部の鏡筒周りに回転可能な操作部材を設け、回転規制の有る規制状態と、回転規制の無い非規制状態の二つの状態を切替手段により切り替え可能としたものがある。
【先行技術文献】
【特許文献】
【０００５】
【特許文献１】特開２０１４−２１２４５号公報
【発明の概要】
【発明が解決しようとする課題】
【０００６】
しかしながら、特許文献１の形態では、回転規制の有る規制状態と、回転規制の無い非規制状態の二つの状態の確認をするために、状態確認用検出器を設置している。前記検出器は、前記切替手段の位置を検知することで何れの状態であるかを検知している。そのために、検出器だけではなく、検出器を固定する部材など部品を多く要し、且つカメラ本体サイズを大きくする可能性もある。
【０００７】
なお、上記操作部材の回転規制のある状態とは、操作部材の回転操作時に操作抵抗が定期的に変化する、いわゆるクリック感が生じる状態を指している。また回転規制の無い状態とは、操作部材の回転操作時に操作抵抗がほぼ一定のスムーズでクリック感の無い状態を指している。以降、クリック感が生じる状態をクリックＯＮ状態、クリック感が生じない状態をクリックＯＦＦ状態と記すことにする。
【０００８】
そこで、本発明の目的は、操作時のクリック感の有無を切り替え可能な回転操作部材にあって、部品点数を増すことが無く、操作部材がクリックＯＮ状態かクリックＯＦＦ状態かを検知する電子機器を提供することにある。
【課題を解決するための手段】
【０００９】
上記の目的を達成するために、本発明に係る電子機器は、
筺体に回転可能に固定された回転操作部材と、前記回転操作部材の回転規制が有る規制状態と前記回転操作部材の回転規制が無い非規制状態の二つの状態を切り替えるクリック切替機構と、前記回転操作部材の回転方向、回転量を検出する回転検出手段とで構成され、前記回転検出手段から出力された出力信号から回転操作部材の回転操作速度を算出し、前記回転操作速度の変化量から前記回転操作部材が回転規制状態か否かを判定することを特徴とする。
【００１０】
または、筺体に回転可能に固定された回転操作部材と、前記回転操作部材の回転規制が有る規制状態と前記回転操作部材の回転規制が無い非規制状態の二つの状態を切り替えるクリック切替機構と、前記回転操作部材の回転方向、回転量を検出する回転検出手段と、周囲の音を集音可能なマイク部材で構成され、前記回転操作部材が回転操作されると前記マイク部材から集音された音を録音し、前記録音された音に前記回転規制が規制状態時に発生するクリック音が入力されていた時、前記回転規制部材が回転規制状態であることを判定することを特徴とする。
【発明の効果】
【００１１】
本発明によれば、操作時のクリック感の有無を切り替え可能な回転操作部材にあって、部品点数を増すことが無く、操作部材がクリック状態かクリックオフ状態かを検知する電子機器を提供することができる。
【図面の簡単な説明】
【００１２】
【図１】デジタルカメラの外観斜視図
【図２】前面カバーユニットの内部構造図
【図３】前面カバーユニットの分解斜視図
【図４】クリック発生機構の分解斜視図
【図５】前面カバーユニットの断面図
【図６】クリック切替機構の拡大図
【図７】回転検出手段の拡大図
【図８】デジタルカメラ構成を示すブロック図
【図９】操作リングの操作速度と時間の関係図
【図１０】ＰＩ１、ＰＩ２の出力信号と時間の関係図
【図１１】第一の実施例の操作リングの操作によるクリック検知処理のフローチャート
【図１２】第二の実施例の操作リングの操作によるクリック検知処理のフローチャート
【発明を実施するための形態】
【００１３】
本発明の好ましい実施の形態を、添付の図面に基づいて詳細に説明する。尚、以下に説明する実施の形態は、本発明の実現手段としての一例であり、本発明は、その趣旨を逸脱しない範囲で下記実施形態を修正又は変形したものに適用可能である。
【実施例１】
【００１４】
図１（ａ）は、本発明の実施形態であるデジタルカメラ１の前面側斜視図である。
【００１５】
デジタルカメラ１の筐体前面には、被写体光から光学像を生成し、後述する撮像素子１１３に結像する沈胴式の光学系撮影レンズ鏡筒３が備わっている。
【００１６】
撮影レンズ鏡筒３の外周には、操作リング２０１が設けられる。操作リング２０１は、回転操作することにより絞り優先ないしシャッター速度優先の自動露光モードなどの撮影モードといった機能、及び各機能に含まれる設定値を変更することが可能となっている。操作リング２０１の近傍には、切替操作部材２０５が設けられている。切替操作部材２０５をスライドさせることで、操作リング２０１の操作時のクリックＯＮ状態とクリックＯＦＦ状態を切り替えることができる。なお、操作リング２０１、切替操作部材２０５は、デジタルカメラ１の前面を覆う前面カバーユニット２に配置されている。
【００１７】
デジタルカメラ１の上面部には、デジタルカメラ１の電源オンとオフの操作を行う電源ボタン１０１、撮像準備および撮像操作の指示を行うレリーズボタン１０２が設けられる。レリーズボタン１０２は２段階の押圧操作が可能となっている。レリーズボタン１０２を１段階操作すると、撮影準備動作（測光動作や測距動作等）が開始される。レリーズボタン１０２を全押し操作すると、被写体を撮影し、記録媒体１１９に被写体像の画像デ−タを記録する。レリーズボタン１０２の外周部には、レリーズボタン１０２を中心に所定の角度で回動し、撮影画角の変更を行うズームレバー１０３が配置されている。
【００１８】
デジタルカメラ１の筺体上面から見て時計回りに回転させると、撮影レンズ鏡筒３がテレ側（画角が狭くなる方向）にズ−ム動作を行い、逆に反時計回りに回転させると撮影レンズ鏡筒３がワイド側（画角が広がる方向）にズ−ム動作を行う。さらに静止画撮影や動画撮影等の各種撮影モードの切替えを行うモードダイヤル１０４、撮影画像の明るさの補正量を設定する露出補正ダイヤル１０５、発光部がポップアップ可能なストロボユニット１０６、動画撮影時などにカメラ周囲の音を録音するためのステレオマイク１１３を備えている。
【００１９】
モードダイヤル１０４には、各種の撮影モードを表すアイコン（絵文字）が印刷されており、各アイコンを所定の位置に設けられた指標に合わせることで、アイコンに応じた撮影モードの設定を行うことができる。ストロボユニット１０６はデジタルカメラ１側面のストロボレバー１０７を操作することで被写体を照明するための発光部がポップアップする。
【００２０】
図１（ｂ）は、デジタルカメラ１本体の背面側斜視図である。
【００２１】
デジタルカメラ本体１の背面部には、チルト可能な表示部支持体１０８と撮影前のスルー画像や、撮影画像、各種撮影条件を表示する液晶表示部１０９が設けられる。液晶表示部１０９には、タッチセンサーが内蔵され、撮像パラメータの変更、液晶表示部１０９の表示形式の変更といった機能を選択する際に利用する。
【００２２】
液晶表示部１０９は、表示部支持体１０８により、デジタルカメラ１の筺体上部に設けられた回転軸を中心として、１８０°の範囲で回動させることができ、筺体上面側と筺体前面側からの液晶表示部１０９の視認性を向上させている。デジタルカメラ本体１の背面部には、さらに撮影条件の変更、液晶表示部１０９の表示形式の変更といった機能を選択する際に利用する各種操作ボタン群１１０、グリップ部１１１が設けられている。デジタルカメラ本体１の側面部には、各種外部デバイスに接続するための端子類を保護する端子カバー１１２が配置される。
【００２３】
次に、図２、図３を用いて、図１（ａ）の前面カバーユニット２の構成について説明する。
【００２４】
図２は、前面カバーユニット２の内部構造図であり、図３は前面カバーユニット２の分解斜視図である。
【００２５】
図２及び図３に示すように、前面カバーユニット２は、デジタルカメラ１の外装カバーである前面カバー２０２および操作リング２０１、後述する操作リング保持部材２０３、ベース部材２０４、切替操作部材２０５、環状部材２０６を備える。さらに、前面カバーユニット２は、後述するクリック発生機構、クリック切替機構、回転検出手段を備える。検出用フレキ基板２１１は、後述するフォトインタラプタＰＩ１、ＰＩ２が実装されており、前記不図示信号処理基板とコネクタなどによって電気接続されている。
【００２６】
図３において、ベース部材２０４は、ベース部材２０４に設けられた円筒部２０４ａが、前面カバー２０２に形成された円状切り欠き部２０２ａから突き出た状態で、前面カバー２０２の内部面に両面テープや接着材等により固定される。
【００２７】
操作リング保持部材２０３は、ベース部材２０４と共に切替操作部材２０５を回動可能に挟持し、操作リング保持部材２０３の内周部２０３ａがベース部材２０４の円筒部２０４ａに嵌合して、ベース部材２０４にビスにて固定されている。
【００２８】
操作リング２０１には、円筒部２０１ｂが設けられ、操作リング保持部材２０３に形成された外周部２０３ｂと回転可能に嵌合する。また、円筒部と円板部を有した、いわゆるフランジ形状をした環状部材２０６と操作リング２０１は、前面カバー２０２、ベース部材２０４、及び操作リング保持部材２０３を挟持している。前記前面カバー２０２、ベース部材２０４、及び操作リング保持部材２０３は、環状部材２０６の円筒部に複数設けられた係合腕部２０６ｃが、操作リング２０１に複数設けた係合爪部２０１ａに係合することで抜け止めがなされる。
【００２９】
かかる係合によって、操作リング２０１は環状部材２０６と一体に回転可能に前面カバー２０２に取り付けられていることになる。一方、環状部材２０６の円板部には、最外周に所定の形状で切り欠いた開口部２０６ａ、及び切り欠きのない部分である非開口部２０６ｂが周方向に等間隔で複数形成されている。開口部２０６ａ、および非開口部２０６ｂは、後述するクリック発生機構と回転検出手段に利用される。
【００３０】
次に、クリック発生機構、クリック切替機構、回転検出手段、各構成の詳細について説明する。
【００３１】
図２〜図８を用いて、操作リング２０１のクリック感を発生させるためのクリック発生機構及び操作リング２０１のクリックＯＮ状態とクリックＯＦＦ状態を切り替えるクリック切替機構について説明する。
【００３２】
図４は、クリック発生機構の分解斜視図である。
【００３３】
クリック発生機構は、なめらかな操作感を実現するため、摩擦抵抗を低減する鋼球２０７、クリック部材２０９、及び鋼球２０７とクリック部材２０９を付勢する付勢ばね２０８で構成されている。鋼球２０７、付勢ばね２０８、クリック部材２０９がベース部材２０４に設けられた貫通穴２０４ｂに移動可能に挿通され、クリック部材２０９側は、後述する切替プレート２１０ないし環状部材２０６に当接し、鋼球２０７側は、切替操作部材２０５に当接している。また、クリック部材２０９の切替プレート２１０側の先端形状は球形状となっている。このクリック発生機構は後述のクリック切替機構や操作リング２０１の操作時におけるクリックを発生させるものである。
【００３４】
図５（ａ）、図５（ｂ）は、図２におけるＡ−Ａ断面である。
【００３５】
クリック切替機構は、後述する切替プレート２１０と、後述する切替プレート２１０を保持固定する切替操作部材２０５で構成されている。切替操作部材２０５は、係合溝２０５ａと係合溝２０５ｂ、係合溝２０５ａと係合溝２０５ｂを繋ぐ浅い摺動溝２０５ｃを有している。鋼球２０７が付勢ばね２０８に付勢され、係合溝２０５ａもしくは係合溝２０５ｂに当接することで、切替操作部材２０５は、操作リング２０１のクリックＯＮ状態とクリックＯＦＦ状態のそれぞれの状態を保持する。
【００３６】
図６は、図２のＤ部の拡大図であり、説明のため環状部材２０６を不図示にしている。切替プレート２１０には、第１の貫通穴２１０ａ、第２の貫通穴２１０ｂが設けられており、それぞれの貫通穴がスリット２１０ｃにより繋がっている。そして、第１の貫通穴２１０ａ、第２の貫通穴２１０ｂは、クリック部材２０９の先端の球形状より小さくなっているため、切替プレート２１０が切替操作部材２０５へ固定された状態にてクリック部材２０９を保持可能となっている。また、詳細については後述するが、第１の貫通穴２１０ａは、第２の貫通穴２１０ｂより小さくなっている。
【００３７】
ここで、操作リング２０１のクリックＯＦＦ状態について説明する。
【００３８】
図５（ａ）及び図６（ａ）は、切替操作部材２０５がクリックＯＦＦ状態の位置を示し、クリック部材２０９が、切替プレート２１０の第１の貫通穴２１０ａに、付勢ばね２０８にて付勢されている。同時に、鋼球２０７が、切替操作部材２０５の係合溝２０５ａへ付勢ばね２０８にて付勢されている。鋼球２０７が係合溝２０５ａに嵌っている状態から浅い摺動溝２０５ｃに移動するためには、付勢ばね２０８を圧縮する力が必要であるため、切替操作部材２０５が安易には回動しないように保持された状態となっている。
【００３９】
また、切替プレート２１０の第１の貫通穴２１０ａは、クリック部材２０９の先端の球形状より十分に小さく、クリック部材２０９の先端が環状部材２０６に当接しないように保持している。そのため、クリックＯＦＦ状態では、環状部材２０６には回転による負荷変動は生じないので、それと一体化されている操作リング２０１の回動操作も負荷変動のないスムーズな操作をすることが可能となっている。
【００４０】
次に、操作リング２０１のクリックＯＮ状態について説明する。
【００４１】
図５（ｂ）及び図６（ｂ）は、切替操作部材２０５がクリックＯＮ状態の位置を示す。
【００４２】
上述のクリックＯＦＦ状態から、切替操作部材２０５を本実施例のデジタルカメラ１正面から見て反時計周りにスライド操作すると、鋼球２０７が係合溝２０５ａから浅い摺動溝２０５ｃへ乗り上げる。さらに切替操作部材２０５をスライド操作すると、鋼球２０７が嵌合溝２０５ｂへ嵌まり、図５（ｂ）及び図６（ｂ）の状態となる。鋼球２０７が付勢ばね２０８により嵌合溝２０５ｂに付勢されることで、切替操作部材２０５の位置が保持される。同時に、クリック部材２０９と切替プレート２１０との当接部が切替プレート２１０の第１の貫通穴２１０ａから、スリット２１０ｃに沿ってスライドし、第２の貫通穴２１０ｂへと移動する。その時、クリック部材２０９は切替プレート２１０の第２の貫通穴２１０ｂを通り、環状部材２０６を付勢した状態となっている。
【００４３】
第２の貫通穴２１０ｂは、クリック部材２０９の先端部が一定量飛び出す大きさとなっており、その飛び出し量は環状部材２０６、及びその開口部２０６ａを十分に付勢する量に設定されている。以降、クリック部材２０９が付勢ばね２０８により開口部２０６ａに付勢されている状態を以降クリックポジションと示す。この状態で、操作リング２０１を回転操作させると、それと一体化されている環状部材２０６も回動し、クリック部材２０９がクリックポジションから脱出する時に、付勢ばね２０８も圧縮されるので、大きな負荷が発生する。
【００４４】
また、クリック部材２０９が非開口部２０６ｂに当接する時と非開口部２０６ｂからクリックポジションに移行時には、付勢ばね２０８を圧縮されないので、環状部材２０６の回転には小さな負荷しか生じない。そのため、クリックＯＮ状態では、ユーザーが操作リング２０１を回転させると、クリックポジションのたびに大きな負荷変動、即ちクリック感を感じることになり、各クリックポジション間への段階的な操作をすることが可能となっている。
【００４５】
次に、操作リング２０１の回転量を検知する回転検出手段について説明する。
【００４６】
図７（ａ）は、図２のＥ部の拡大図であり、説明のため保持部材２１２を不図示にしてある。図中の矢印Ｂは、環状部材２０６および操作リング２０１の回転方向を示しており、紙面に対して時計周りをＣ、反時計周りをＣＣと示している。
【００４７】
回転検出手段は、検出用フレキ基板２１１に実装された第１、第２のフォトインタラプタＰＩ１、ＰＩ２（以下、ＰＩ１、ＰＩ２と省略）で構成されている。フォトインタラプタは、発光部と受光部を有し、受光部での受光量を電気信号の大小に変換して出力するものである。
【００４８】
ＰＩ１、ＰＩ２の発光部と受光部は、環状部材２０６の回転位相を検出可能となるように、環状部材２０６の開口部２０６ａないしは非開口部２０６ｂに対して、それぞれ異なる位相で、ベース部材２０４に固定されている。
【００４９】
図７（ｂ）は、環状部材２０６が回転して、ＰＩ１、ＰＩ２内の発光部と受光部の間を開口部２０６ａと非開口部２０６ｂが通過することにより、ＰＩ１、ＰＩ２が出力した信号の変化を示した図である。ＰＩ１、ＰＩ２の受光部が遮光されていない時は、ＰＩ１、ＰＩ２の出力は高くなり、この状態をＨ信号と表現している。ＰＩ１、ＰＩ２の受光部が遮光される時は、ＰＩ１、ＰＩ２の出力が小さくなり、この状態をＬ信号と表現している。クリックポジションでは、ＰＩ１、ＰＩ２の各々の出力信号がＬ、Ｌとなるように、ＰＩ１、ＰＩ２が配置されている。
【００５０】
そして、図７（ａ）のように、ＰＩ１、ＰＩ２の発光部と受光部は、開口部２０６ａに対して互いに異なる位相で配置することにより、図７（ｂ）に示すように、ＰＩ１、ＰＩ２のＨ信号とＬ信号がそれぞれ半位相ずれた状態で出力されるようになっている。
【００５１】
図７（ｃ）は、操作リング２０１を回転させた際に、ＰＩ１、ＰＩ２が、環状部材２０６の開口部２０６ａと非開口部２０６ｂを検知した信号と、回転方向の判定を示した表である。例えば、図７（ｂ）において、クリックポジションから、操作リング２０１をＣ方向へ回転させた場合、ＰＩ１、ＰＩ２の出力波形は図中左に移動し、ＰＩ１の出力信号が先にＨとなる。すると、図７（ｃ）の表に示すようにＣ方向へ回転したと判定される。ＣＣ方向へ回転させた場合、ＰＩ２の出力信号が先にＨとなり、図７（ｃ）の表に示すようにＣＣ方向へ回転したと判定される。
【００５２】
図８は、デジタルカメラ１の構成を示すブロック図である。なお、図１で説明した機能については同一番号で示し、説明は省略する。
【００５３】
撮像素子１１３は、光学像を光電変換してアナログ映像信号を生成するＣＣＤやＣＭＯＳイメ−ジセンサ等であり、撮影レンズ鏡筒３に組み付けられている。Ａ／Ｄ変換部１２０は、デジタルカメラ１の内部に搭載された信号処理基板（不図示）に実装され、撮像素子１１３で生成したアナログ映像信号をデジタル映像信号に変換する。画像処理部１２１は、前記不図示信号処理基板に実装され、Ａ／Ｄ変換部１２０で得られたデジタル映像信号を所定の画像データに変換する。変換された画像データは、最終的には前記不図示信号処理基板に実装されたカードＩ／Ｆ１１４等を含む記録媒体スロットに対して着脱可能な記録媒体１１９に保存される。
【００５４】
また前記不図示信号処理基板には、デジタルカメラ１全体を制御し、プログラムを実行するシステム制御部１１５、プログラム等を電気的に消去・記録可能な不揮発性メモリ１１６が実装されている。ここでいう、プログラムとは、本実施形態にて後述する各種フローチャートを実行するためのプログラムのことである。さらに、前記不図示信号処理基板には、不揮発性メモリ１１６から読み込んだプログラム等を展開するシステムメモリ１１７、各種制御に用いる時間や、内蔵された時計の時間を計測するシステムタイマー１１８が実装されている。
【００５５】
次に、図９および図１０を用いて、操作リング２０１がクリックＯＦＦ状態かクリックＯＮ状態かを検知するクリック検出手段について説明する。図９は、操作リング２０１を静止状態から一定の操作力で回転操作した時の速度ｖの変化の一例を示した図である。図９（ａ）はクリックＯＦＦ状態、図９（ｂ）はクリックＯＮ状態であり、グラフの横軸が時間ｔ、縦軸が回転速度ｖである。
【００５６】
操作リング２０１がクリックＯＦＦ状態の時、前述の通り操作リング２０１は負荷変動のなくスムーズに操作できるので、図９（ａ）に示す通り、操作リング２０１は徐々に速度ｖが増し、ゆるやかな速度変動となる。
【００５７】
それに対し、操作リング２０１がクリックＯＮ状態の時、前述の通り操作リング２０１は大きな負荷変動を伴った動作となるので、図９（ｂ）に示す通り、操作リング２０１はクリックポジション毎に回転速度ｖが瞬間的に増減する。
【００５８】
つまり上述にある操作リング２０１の回転速度ｖの変化を検出することで、クリックの有無状態を判定が可能である。即ち、操作リング２０１の回転速度ｖの変化がほぼ一定、あるいは小さいとき、操作リング２０１はクリックＯＦＦ状態、操作リング２０１の回転速度ｖの変化が大きい時はクリックＯＮ状態と判定が可能である。
【００５９】
次に、図１０および図１１を用いて、図８のデジタルカメラ１のクリック検出手段の動作フローについて説明する。なお、図１１の動作フローは、特に断らない限り、不揮発性メモリ１１６に記録されたプログラムを、システムメモリ１１７に読み出してシステム制御部１１５が実行するものとする。
【００６０】
まず、ユーザーにより、電源ボタン１０１が押下され、デジタルカメラ１が起動し、電源ボタン１０１、レリーズボタン１０２や操作リング２０１といった各操作部が操作されたことを検知する撮影待機状態となったところで、図１１の動作フローが開始されるものとする。
【００６１】
撮影待機状態では、まずステップＳ３００で操作リング２０１以外の操作部材が操作されたか否かを判定する。操作リング２０１以外の操作部材が操作されたと判定された場合は、その操作部材に対する処理へ進み（Ｓ４００）、操作された内容に応じた処理が行われた後、撮影待機状態に戻る。Ｓ３００で操作リング２０１が操作されたと判定された場合は、ステップＳ３０１へと進む。
【００６２】
ステップＳ３０１では、ＰＩ１とＰＩ２のどちらか一方の出力信号がＨかどうかを判定する。図７（ｃ）で示した通り、クリックＯＮ状態であればＰＩ１、ＰＩ２共に出力信号がＬなので、ＰＩ１、ＰＩ２の何れかの出力信号がＨであれば操作リング２０１がクリックポジション以外で停止していることになる。
【００６３】
つまり、ステップＳ３０１でＰＩ１またはＰＩ２の出力信号がＨと判定された場合、ステップＳ３０２に進み、クリックＯＦＦ状態であると判定しステップＳ３０３に進む。ステップＳ３０３では、フォーカス調整など連続的な調整を行う処理に進み、前記処理後は再度ステップＳ３００に戻る。なおステップＳ３０３では、ＰＩ１、ＰＩ２のＨ／Ｌ反転毎に設定値の変更が行われる。
【００６４】
ステップＳ３０１において、ＰＩ１またはＰＩ２の出力信号のＨではなかった時は、ステップＳ３０４に進む。ステップＳ３０４では、操作リング２０１の操作により、ＰＩ１とＰＩ２のどちらか一方の出力信号がＬ信号からＨ信号に反転したか否かを判定する。ＰＩ１とＰＩ２のどちらの出力信号も所定時間以内に反転しない場合は、操作リング２０１の操作が行われていないと判定し、ステップＳ３００に戻る。ＰＩ１とＰＩ２のどちらかの出力信号が所定時間以内にＬ信号からＨ信号に反転した場合、操作リング２０１の操作が行われていると判定し、ステップＳ３０５に進む。
【００６５】
ステップＳ３０５では、検出したＰＩ１、ＰＩ２の出力信号の情報と図８（ｃ）に記載した条件に基づき、操作リング２０１の回転方向を判別し、ステップＳ３０６に進む。
【００６６】
ステップＳ３０６では、ＰＩ１とＰＩ２の出力信号が反転するまでの時間Δｔ１とΔｔ２を測定し、ステップＳ３０７に進む。ここで、前記反転時間Δｔ１と反転時間Δｔ２に関し、図１０で説明する。
【００６７】
図１０は、操作リング２０１をＣＣ方向に回転操作した時のＰＩ１、ＰＩ２の出力信号と時間ｔの関係を示した図である。図１０（ａ）は、クリックＯＦＦ状態、図１０（ｂ）は、クリックＯＮ状態を示す図である。
【００６８】
図１０（ａ）、（ｂ）において、クリックポジションから操作リング２０１をＣＣ方向に回転操作すると、ＰＩ１が先にＬからＨに反転し、次いでＰＩ２がＬからＨに反転する。このとき、ＰＩ１とＰＩ２のどちらか一方が先にＬからＨに反転してから他方がＬからＨに反転するまでの反転時間をΔｔ１、同様にＰＩ１とＰＩ２のどちらかが一方がＨからＬに反転してから他方がＨからＬに反転するまでの反転時間をΔｔ２とする。そして図１０（ａ）のクリックＯＦＦ状態では回転速度ｖの差が小さく、図１０（ｂ）のクリックＯＮ状態では回転速度ｖの差が大きくなることを示している。
【００６９】
図１１に戻って、ステップＳ３０７では、ステップＳ３０６で測定した反転時間Δｔ１と反転時間Δｔ２の差Ｄを計算し、ステップ３０８に進む。
【００７０】
ステップＳ３０８では、差Ｄと予め設定されている判定値Ｍとの比較を行う。判定値Ｍは操作リング２０１がクリックＯＮ状態かクリックＯＦＦ状態かを判定するための定数である。
【００７１】
ステップＳ３０８において、判定値Ｍ＜差Ｄの関係の時、回転速度ｖの変化量が大きいのでステップＳ３０９に進み、クリックＯＮ状態であると判定し、ステップＳ３１０に進む。ステップＳ３１０では、離間的な操作である露出補正調整などをする処理に進み、終了次第再度Ｓ３００に戻る。それ以外であればＳ３０２に進む。なお、ステップＳ３１０では、クリックポジション毎に設定値の変更が行われる。
【００７２】
ステップＳ３０８において、判定値Ｍ＜差Ｄの関係ではない時は、回転速度ｖの変化量が微小なので、Ｓ３０２に進み、クリックＯＦＦ状態であると判定される。
【００７３】
なお本実施例では、始めにＰＩ１、ＰＩ２の出力信号が共にＬ信号であったとき、直ちにクリックＯＦＦ判定をしているが、常に判定値Ｍと比較するようにしてもよい。
【００７４】
以上説明したように、操作時のクリック感の有無を切り替え可能な回転操作部材にあって、部品点数を増すことが無く、操作部材がクリック状態かクリックオフ状態かを検知する検知手段を提供することができる。
【００７５】
なお、デジタルカメラ１のクリック検出手段の動作フローは次のようにしてもよい。図１２において、図１１の実施例と同一のステップは同一番号で示し、説明は省略する。
【００７６】
ステップＳ３０４では、操作リング２０１の操作により、ＰＩ１とＰＩ２のどちらか一方の出力信号がＬ信号からＨ信号に反転したか否かを判定して、ＰＩ１とＰＩ２のどちらかの出力信号が所定時間以内にＬ信号からＨ信号に反転した場合、操作リング２０１の操作が行われていると判定し、ステップＳ３２０に進む。
【００７７】
ステップＳ３２０では、通常動画録音時の集音で使用されるマイク１１３をＯＮ状態にし、ステップＳ３２１に進む。
【００７８】
ステップＳ３２１では、マイク１１３から集音された音のうち、特にＰＩ１、ＰＩ２が共にＬ信号となる時の前後の音を録音しステップＳ３２２に進む。
【００７９】
ステップＳ３２２では、ステップＳ３２１で録音した音から、操作リング２０１がクリックＯＮであるか否かの評価を行う。前記評価は、録音された音の周波数帯、音圧など予め設定した音の指標との比較を行う。音の指標として用いるのは、図１〜図６で説明した操作リング２０１を回転操作された時に発生するクリック音、つまりクリック部材２０９が非開口部２０６ｂから開口部２０６ａに戻るときに発生するクリック部材２０９と環状部材２０６との衝突音である。
【００８０】
なお、ステップＳ３２１で録音された音が、前記指標音と近似した衝突音であればステップＳ３２３に進み、操作リング２０１はクリックＯＮ状態であると判定され、ステップＳ３１０に進む。ステップＳ３２２において、ステップ３２１で録音された音が指標音と異なると判定されれば、ステップＳ３０２に進み、操作リング２０１がクリックＯＦＦ状態であると判定される。
【００８１】
以上説明したように、操作時のクリック感の有無を切り替え可能な回転操作部材にあって、部品点数を増すことが無く、操作部材がクリックＯＮ状態かクリックＯＦＦ状態かを検知する検知手段を提供することができる。
【符号の説明】
【００８２】
１  デジタルカメラ、２  前面カバーユニット、１１３  マイク、
１１５  システム制御部、１１６  不揮発性メモリ、１１７  システムメモリ、
１１８  システムタイマー、２０１  操作リング、２０２  前面カバー、
２０３  操作リング保持部材、２０４  ベース部材、２０５  切替操作部材、
２０６  環状部材、２０７  鋼球、２０８  付勢ばね、２０９  クリック部材、
２１０  切替プレート、２１１  検出用フレキ基板、２１２  保持部材、
２１３  クリック検出用フレキ基板、２１３ａ  検出用スイッチ、
２１４  グランド板金、ＰＩ１  第１のフォトインタラプタ、
ＰＩ２  第２のフォトインタラプタ
【図１】
2020101725.tif 000003
【図２】
2020101725.tif 000004
【図３】
2020101725.tif 000005
【図４】
2020101725.tif 000006
【図５】
2020101725.tif 000007
【図６】
2020101725.tif 000008
【図７】
2020101725.tif 000009
【図８】
2020101725.tif 000010
【図９】
2020101725.tif 000011
【図１０】
2020101725.tif 000012
【図１１】
2020101725.tif 000013
【図１２】
2020101725.tif 000014